(57)【要約】【課題】  液剤を塗布体全体にスムーズにかつ確実に染み渡らせることができ、かつ液吐出部の孔開け工程が不要である液剤塗布具を提供する。【解決手段】  液剤を被塗布面に塗布する塗布体と、前記塗布体を固定する固定台と、前記固定台に取り付けされる筒形口を有する液剤容器とからなる液剤塗布具において、前記固定台には、1つまたは複数の液剤吐出口を有する突出筒が突設され、前記突出筒から液剤を固定台と平行方向に吐出する液剤塗布具。好ましくは前記突出筒内側に吐出経路形成リングを備える。【選択図】  図６
2005254099.tif 000002
【特許請求の範囲】
【請求項１】
液剤を被塗布面に塗布する塗布体と、前記塗布体を固定する固定台と、前記固定台に取り付けされる筒形口を有する液剤容器とからなる液剤塗布具において、前記固定台には、1つまたは複数の液剤吐出口を有する突出筒が突設され、前記突出筒から液剤を固定台と平行方向に吐出する液剤塗布具。
【請求項２】
前記突出筒内側に吐出経路形成リングを備えたことを特徴とする請求項１記載の液剤塗布具。
【請求項３】
前記突出筒または、前記吐出経路形成リングが上下に移動することにより、吐出口を開閉することを特徴とする請求項２記載の液剤塗布具。
【請求項４】
前記突出筒または、前記吐出経路形成リングが回転することにより、吐出口を開閉することを特徴とする請求項２記載の液剤塗布具。
【請求項５】
前記吐出経路形成リングを前記突出筒の外側に勘合したことを特徴とする請求項２記載の液剤塗布具。
【請求項６】
前記突出筒または、前記吐出経路形成リングが上下に移動することにより、吐出口を開閉することを特徴とする請求項５記載の液剤塗布具。
【請求項７】
前記突出筒または、前記吐出経路形成リングが回転することにより、吐出口を開閉することを特徴とする請求項２記載の液剤塗布具。
【発明の詳細な説明】
【技術分野】
【０００１】
本発明は、窓ガラス等の基材にクリーナー、撥水剤、くもり止め等の液剤を、塗布体を介して塗布するための液剤塗布具に関する。
【背景技術】
【０００２】
液剤を塗布体全体にスムーズにかつ確実に染み渡らせる手段として、図１に示すように液剤吐出口（２）を突出筒（1）の双方向に設け、突出筒内側の流出孔（3）と突出筒の頭部方向に開口した吐出口により、液剤の流出経路を形成した方法が提案されている（例えば、特許文献１参照）。
【０００３】
しかし、この吐出口では、図２に示すように吐出された液が塗布体（5）に直接当たらずに、上方に吐出してしまう。合わせ型を用いると、必然的に吐出口が上方にも開いてしまう。よってこの方法による場合は、液吐出後即座に塗布体全体に液を染み渡らせることが出来ずに、突出筒付近の被塗布面と塗布体との間に溜まった液体が徐々に塗布体全体に染み渡っていくことになる。このため、必要なサイズに設計された塗布体の性能を十分利用することが出来なかった。
一方、図３のような固定台（4）と平行で突出筒に対し貫通した孔を有し、かつ突出筒の頭部方向への開口がない液吐出経路形状の場合、一般的にこの孔は樹脂成形後の後加工で実施されるため、コストが高くなると言う課題がある。
【特許文献１】特許第３２５５０６０号公報
【発明の開示】
【発明が解決しようとする課題】
【０００４】
本発明は、上記問題を解決するためになされたもので、液剤を塗布体全体にスムーズにかつ確実に染み渡らせることができ、かつ液吐出部の孔開け工程が不要である液剤塗布具を提供する。
【課題を解決するための手段】
【０００５】
上記目的を達成するために本発明では、液剤を被塗布面に塗布する塗布体と、前記塗布体を固定する固定台と、前記固定台に取り付けされる筒形口を有する液剤容器とからなる液剤塗布具において、前記固定台には、1つまたは複数の液剤吐出口を有する突出筒が突設され、固定台と平行方向に吐出する液剤塗布具を提供する。好ましい形態として、前記突出筒内側にリングを備えた液剤塗布具を提供する。このリングは液剤吐出口から吐出した液剤が、固定台と平行方向に吐出するように液剤吐出経路を形成する作用を有する。好ましい形態ではリングによって液剤が突出筒の天井部に一度当たるような液剤吐出経路が形成されることによって、固定台と平行方向に吐出されるようになる。
【発明の効果】
【０００６】
本発明では、図4に示すようにこの吐出経路形成リング（6）は、従来液剤容器または固定台に取り付けられていた中栓に追加することにより、部品点数を増やすことなくこの構成を実現することができる。したがって、構成上安価な液体塗布具とすることができる。
【０００７】
また、これらの頭部方向に開口した吐出口を有する固定台や吐出経路形成リングを有する中栓は一般的にプラスチック製で、インジェクション成形方法により製作される。これらの部品は、従来考えられていた図３のような固定台（4）と平行で突出筒に対し貫通した孔を有し、かつ突出筒の頭部方向への開口がない液吐出経路形状を有する突出筒が突設された固定台より安価に製作される。
【０００８】
図５に示すようにこの吐出経路形成リング（6）は、突出筒の内外をスライドまたは上下させることにより、吐出口（2）を開閉することができ、従来の液の流出を開閉する部品をかねることもでき部品を増やすことなく機能の追加をすることができる。
【発明を実施するための最良の形態】
【０００９】
図６に示したのは、液剤を塗布する塗布体（5）と、前記塗布体を固定する固定台（4）と、前記固定台に取り付けされる筒形口を有する液剤容器（7）と、前記液剤容器と固定台との間に中栓を有しており、その中栓には、液剤吐出口から吐出した液剤が、固定台と平行方向に吐出するように液剤吐出経路を形成する吐出経路形成リング（6）配置した液剤塗布具である。
【００１０】
図７では、吐出経路形成リング（6）が吐出筒内部を上下することにより液剤塗布具の液剤流出開閉機能を兼ねている。
【００１１】
図８では、吐出経路形成リング（6）が突出筒内部を回転することにより液剤塗布具の液剤流出開閉機能を兼ねている。
【００１２】
図９に示したのは、液剤を塗布する塗布体（5）と、前記塗布体を固定する固定台（4）と、前記固定台に取り付けされる筒形口を有する液剤容器（7）を有しており、前記固定台に突設された突出筒（1）の外側に液剤吐出口から吐出した液剤が、固定台と平行方向に吐出するように液剤吐出経路を形成する吐出経路形成リング（6）を配置した液剤塗布具である。
【００１３】
図１０では、吐出経路形成リング（6）が突出筒（1）外部を上下することにより液剤塗布具の液剤流出開閉機能を兼ねている。
【００１４】
図１１では、吐出経路形成リング（6）が突出筒（1）外部を回転することにより液剤塗布具の液剤流出開閉機能を兼ねている。
【図面の簡単な説明】
【００１５】
【図１】従来の塗布容器の一例の要部の断面図である。
【図２】従来の塗布容器の吐出された液の流れを示す断面図である。
【図３】従来の塗布容器の吐出された液の流れを示す断面図である。
【図４】本発明の実施の形態に係る塗布容器の要部断面図である。
【図５】本発明の他の実施の形態に係る塗布容器の要部断面図である。
【図６】本発明の実施の形態に係る塗布容器の要部断面図である。
【図７】吐出経路形成リングが吐出筒内部を上下することにより液剤流出開閉機能を兼ねる実施例の要部断面図である。
【図８】吐出経路形成リングが突出筒内部を回転することにより液剤流出開閉機能を兼ねる実施例の要部断面図である。
【図９】本発明の他の実施の形態に係る塗布容器の要部断面図である。
【図１０】本発明の他の実施の形態に係り、吐出経路形成リングが突出筒外部を上下することにより液剤流出開閉機能を兼ねる実施例の要部断面図である。
【図１１】本発明の他の実施の形態に係り、吐出形成リングが突出筒外部を回転することにより液剤流出開閉機能を兼ねる実施例の要部断面図である。
【符号の説明】
【００１６】
１…突出筒
２…吐出口
３…流出孔
４…固定台
５…塗布体
６…吐出経路形成リング
７…液剤容器
【図１】
2005254099.tif 000003
【図２】
2005254099.tif 000004
【図３】
2005254099.tif 000005
【図４】
2005254099.tif 000006
【図５】
2005254099.tif 000007
【図６】
2005254099.tif 000008
【図７】
2005254099.tif 000009
【図８】
2005254099.tif 000010
【図９】
2005254099.tif 000011
【図１０】
2005254099.tif 000012
【図１１】
2005254099.tif 000013